(57)【要約】【課題】どのような場合であっても、ブロワ装置から発生する騒音を所定値以下に抑制し得る洗車機を提供する。【解決手段】車両の洗浄手段および乾燥手段を有するとともに、上記乾燥手段が、乾燥用空気を噴出させる乾燥用ノズルおよび当該乾燥用ノズルに空気を供給するブロワ装置とから構成された洗車機であって、当該洗車機が設置される周辺の民家との境界である壁体に配置された騒音計61と、この騒音計からの騒音計測値を入力するとともに当該騒音計測値が予め設定された設定値、すなわち騒音限界値を超えているか否かを判断する騒音判断部64およびこの騒音判断部からの判断結果を入力して騒音計測値が騒音限界値を超えている場合に、ブロワ装置におけるモータ33の現時点での回転数よりも低い回転数となるように当該モータのインバータ62に周波数指令を出力する周波数制御部65を有する制御装置63とを具備したもの。【選択図】図８
2008155721.tif 000002
【特許請求の範囲】
【請求項１】
洗浄手段および乾燥手段を有するとともに、上記乾燥手段が、乾燥用空気を噴出させる乾燥用ノズルおよび当該乾燥用ノズルに空気を供給するブロワ装置とから構成された洗車機であって、
洗車機本体が設置される周辺または当該洗車機本体に配置された騒音計と、この騒音計にて計測された計測値を入力するとともに当該計測値が予め設定された設定値以下となるように上記ブロワ装置における羽根体を回転させるモータを制御する制御装置とを具備したことを特徴とする洗車機。
【請求項２】
制御装置に、
騒音計からの計測値を入力するとともに当該計測値が予め設定された設定値を超えているか否かを判断する騒音判断部と、
この騒音判断部からの判断結果を入力して計測値が設定値を超えている場合に、ブロワ装置におけるモータの現時点での回転数よりも低い回転数となるように当該モータのインバータに周波数指令を出力する周波数制御部と
を具備させたことを特徴とする請求項１に記載の洗車機。
【請求項３】
設定値として、騒音を許容する上限値としての騒音限界値と当該騒音限界値よりも所定値だけ低くされてモータを通常運転時の回転数に戻し得る通常運転復帰値とを具備し、
制御装置に、
騒音計からの計測値を入力するとともに当該計測値が、騒音限界値を超えているか、騒音限界値と通常運転復帰値との間にあるか、または通常運転復帰値未満であるかを判断する騒音判断部と、
この騒音判断部からの判断結果を入力して計測値が騒音限界値を超えている場合に、ブロワ装置におけるモータの通常運転時の回転数よりも低い回転数となるように、また計測値が騒音限界値と通常運転復帰値との間にある場合にはモータの回転数をそのまま維持するように、さらに計測値が通常運転復帰値未満である場合に、モータの回転数が通常運転時の回転数となるように、当該モータのインバータに周波数指令を出力する周波数制御部と
を具備させたことを特徴とする請求項１に記載の洗車機。
【請求項４】
設定値を、手動にて変更可能に、または季節または時間帯に応じて自動的に変更可能に構成したことを特徴とする請求項２または３に記載の洗車機。
【発明の詳細な説明】
【技術分野】
【０００１】
本発明は、例えば給油所（ガソリンスタンド）などに設置される洗車機に関するものである。
【背景技術】
【０００２】
ガソリンスタンドなどに設置される洗車機は、走行レール上を走行自在にされた門型の洗車機本体と、この洗車機本体に設けられて車両に洗浄水、洗剤などを噴出させる洗浄用ノズルと、乾燥用空気を噴出させて洗浄後の水滴を除去するトップノズル、サイドノズルなどの乾燥用ノズルとが具備され、当然、乾燥用ノズルに空気を供給するためのブロワ装置が具備されており、しかも車両の表面に付着した水滴を吹き飛ばすとともに気化させるためには、かなりの空気量を高速で吹き付ける必要があるため、そのブロワ装置も強力なものが用いられていた。
【０００３】
このため、ブロワ装置にて発生する騒音が大きく、この騒音を小さくするために、「ブロー低速度」スイッチが設けられたり、または夜などの所定の時間帯だけ、ブロワ装置を低速でもって駆動するように考慮されていた（例えば、特許文献１参照）。
【特許文献１】特開平０７−３２９８３号公報
【発明の開示】
【発明が解決しようとする課題】
【０００４】
上記従来の構成によると、操作者が「ブロー低速度」スイッチを入れた場合または所定の時間帯においては、ブロワ装置の回転数が低下されているが、ブロワ装置の通常運転時の高速回転時においては、ある程度の大きい騒音が発生されているとともに、洗車する車両の外形、例えば車両の突起物の有無などにより、一時的に騒音が大きくなる場合があり、さらに上述したように「ブロー低速度」スイッチを入れた場合および所定の時間帯のように、低い回転数でもって運転している場合でも、上述したと同様に、やはり騒音が大きくなる惧れがあった。
【０００５】
そこで、本発明は、どのような場合であっても、ブロワ装置から発生する騒音を所定値以下に抑制し得る洗車機を提供することを目的とする。
【課題を解決するための手段】
【０００６】
上記課題を解決するため、本発明の請求項１に係る洗車機は、車両の洗浄手段および乾燥手段を有するとともに、上記乾燥手段が、乾燥用空気を噴出させる乾燥用ノズルおよび当該乾燥用ノズルに空気を供給するブロワ装置とから構成された洗車機であって、
洗車機本体が設置される周辺または当該洗車機本体に配置された騒音計と、この騒音計にて計測された計測値を入力するとともに当該計測値が予め設定された設定値以下となるように上記ブロワ装置における羽根体を回転させるモータを制御する制御装置とを具備したものである。
【０００７】
また、請求項２に係る洗車機は、請求項１に記載の洗車機における制御装置に、
騒音計からの計測値を入力するとともに当該計測値が予め設定された設定値を超えているか否かを判断する騒音判断部と、
この騒音判断部からの判断結果を入力して計測値が設定値を超えている場合に、ブロワ装置におけるモータの現時点での回転数よりも低い回転数となるように当該モータのインバータに周波数指令を出力する周波数制御部とを具備させたものである。
【０００８】
また、請求項３に係る洗車機は、請求項１に記載の洗車機において、設定値として、騒音を許容する上限値としての騒音限界値と当該騒音限界値よりも所定値だけ低くされてモータを通常運転時の回転数に戻し得る通常運転復帰値とを具備し、
制御装置に、
騒音計からの計測値を入力するとともに当該計測値が、騒音限界値を超えているか、騒音限界値と通常運転復帰値との間にあるか、または通常運転復帰値未満であるかを判断する騒音判断部と、
この騒音判断部からの判断結果を入力して計測値が騒音限界値を超えている場合に、ブロワ装置におけるモータの通常運転時の回転数よりも低い回転数となるように、また計測値が騒音限界値と通常運転復帰値との間にある場合にはモータの回転数をそのまま維持するように、さらに計測値が通常運転復帰値未満である場合に、モータの回転数が通常運転時の回転数となるように、当該モータのインバータに周波数指令を出力する周波数制御部とを具備させたものである。
【０００９】
さらに、請求項４に係る洗車機は、請求項２または３に記載の洗車機において、設定値を、手動にて変更可能に、または季節または時間帯に応じて自動的に変更可能に構成したものである。
【発明の効果】
【００１０】
上記洗車機の構成によると、洗車機本体の周辺または当該洗車機本体に配置された騒音計からの計測値に基づき、ブロワ装置の羽根体を回転させるモータの回転数を制御するようにしたので、言い換えれば、計測値が騒音限界値以下となるようにモータの回転数を制御するようにしたので、洗車機本体の周辺または当該洗車機本体での騒音値を、洗車機本体の運転状態に拘わらず、常に、騒音限界値以下にすることができる。すなわち、時間帯に応じて、モータの回転数を低下させる場合に比べて、モータの回転数を低下させる時間を短くすることが可能となり、洗車作業の効率低下を抑制することができる。
【発明を実施するための最良の形態】
【００１１】
［実施の形態］
以下、本発明の実施の形態に係る洗車機を、図１〜図８に基づき説明する。
図１に示すように、この洗車機１としては、例えば給油所（所謂、ガソリンスタンド）２の一角に、壁体（具体的には、防火壁である）３を介して民家４に隣接した土地（区画）に設けられているものとして説明し、また洗車機本体の走行方向（移動方向とも言える）が、民家４に対して直交する方向、言い換えれば、民家４に対する接近離間方向ａにされている。
【００１２】
以下、洗車機１を概略的に説明する。
図２〜図４に示すように、洗車機本体１０は、左右一対の側枠部（サイドフレームともいう）１１と、これら側枠部１１の上部内側面間に設けられる上枠部（トップフレームともいう）１２とにより門型状に構成されており、またこの洗車機本体１０は側枠部１１の下部に設けられた複数個の走行車輪１３を介して床側の走行レール５上に載置されており、走行駆動装置（図示しないが、例えば駆動モータ、減速機などにより構成される）により走行車輪１３が駆動されて上記接近離間方向ａで往復走行される。
【００１３】
洗車機本体１０側には、普通乗用車などの車両６を洗浄する洗浄手段の一例として、第１洗浄水ノズル１４と、第１洗剤ノズル１５と、撥水コート剤ノズル１６と、第２洗浄水ノズル１７と、第２洗剤ノズル１８と、ワックスノズル１９とが、前部から後部に亘って、この順で配設されている。ここで、各ノズル１４〜１９の噴出部の側面視形状が、例えばアーチ状となるように形成されている。また、洗車機本体１０側には、車両６の外面をブラッシングするためのサイドブラシ２０、ロッカーブラシ２１およびトップブラシ２２が配設されている。なお、これら各ブラシ２０〜２２については、洗浄手段に含めてもよく、または別途、ブラッシング手段の一例としてもよい。
【００１４】
さらに、洗車機本体１０側には、昇降動自在で車両６の上面を乾燥させるトップノズル２５と、左右方向に横移動（接近離間動）自在で車両６の両側面を乾燥させる左右一対のサイドノズル２８とが設けられるとともに、洗車機本体１０の上面上、すなわち側枠部１１の上面（外板面である）１１ａ上には、両ノズル２５，２８に可撓性のダクトホース２６，２９を介して接続された左右一対（複数）のブロワ装置３１が設けられ、これらトップノズル２５およびサイドノズル２８からなる乾燥用ノズルおよびブロワ装置３１などにより車両６の乾燥手段の一例が構成されている。
【００１５】
なお、下向きの噴出口２５ａを有するトップノズル２５の昇降動は、洗車機本体１０側に設けられた昇降動手段（図示せず）によって行われ、また内向きの噴出口２８ａを有する両サイドノズル２８の横移動は、洗車機本体１０側に設けられた横移動手段（図示せず）によって行われるように構成されている。
【００１６】
図２〜図７に示すように、上記側枠部１１は、前板１１Ａ、外側板１１Ｂ、後板１１Ｃ、天板１１Ｄ、部分的な内側板１１Ｅなどにより、上下に長い箱枠状に形成されている。そして、側枠部１１内には、前部仕切り板１１Ｆや後部仕切り板１１Ｇなどによって、四角筒状の空洞部１１Ｓが上下方向に形成され、この空洞部１１Ｓは側枠部１１の下部で開放されている。なお、天板１１Ｄの上面によって側枠部１１の上面１１ａが形成されている。そして、空洞部１１Ｓの上部は、前板１１Ａと外側板１１Ｂと内側板１１Ｅとの内面にそれぞれ吸音材２３が貼り付け状に施工されることにより、吸音ゾーン１１Ｚに形成されている。
【００１７】
上記ブロワ装置３１はそれぞれ吸音ボックス４１に入れられるとともに、吸音ボックス４１は側枠部１１の上面１１ａ上に配置されている。すなわち、このブロワ装置３１は、フレーム３２と、このフレーム３２に支持される下位のモータ（電動機）３３と、このモータ３３の上向きの出力軸３４に取り付けられた上位の羽根体（羽根車ともいう）３５と、この羽根体３５を囲むケース３６などから構成されている。ここで、ケース３６は、羽根体３５の下方に位置される底板部３６Ａと、羽根体３５の側方を囲む円弧状の側板部３６Ｂと、羽根体３５の上方に位置される上板部３６Ｃとからなり、円弧状の所定箇所には吐出し口３６Ｄが横向きダクト状に形成されるとともに、上板部３６Ｃの中央部分には吸込み口３６Ｅが形成されている。
【００１８】
そして、フレーム３２に対して、ケース３６の底板部３６Ａが上方から当接されるとともに、モータ３３が下方から当接された状態で、これら３２，３６Ａ，３３は複数の連結具（ボルト・ナットなど）３７により連結されて、一体化されている。なお、モータ３３の出力軸３４を挿通させるために、底板部３６Ａの中央部分には貫通部３６Ｆが形成されるとともに、フレーム３２にも貫通部３２Ｆが形成されている。
【００１９】
上記吸音ボックス４１は、矩形箱状でかつ下面が開放された外箱体４２と、この外箱体４２の内面に貼り付け状に施工された吸音材４３と、上記外箱体４２の下端に連結された下位枠部（架台）４４とからなり、この下位枠部４４は、底板部の周辺を断面Ｃ型の矩形枠状として形成されている。そして、底板部の中央部分にブロワ装置３１に対する吸気口４５が形成され、また外箱体４２の一側壁にブロワ装置３１に対する排気口４６が形成されている。勿論、排気口４６の部分には、吸音材４３は設けられていない。
【００２０】
上記下位枠部４４は、振動吸収体４７を介在して天板１１Ｄ（側枠部１１）の上面１１ａ上に載置され、この状態で下位枠部４４と天板１１Ｄとが複数の連結具（ボルト・ナットなど）４８により連結されることで、吸音ボックス４１は側枠部１１の上面１１ａ上に配置される。その際に、吸気口４５は、側枠部１１内に形成された空洞部１１Ｓの上部、すなわち吸音ゾーン１１Ｚに、天板１１Ｄに形成された連通孔１１Ｈを介して開放されている。
【００２１】
この吸音ボックス４１に上記ブロワ装置３１が入れられ、そして外箱体４２の側壁内面とフレーム３２の両端との間に振動吸収体３８が介在された状態で、外箱体４２とフレーム３２とが複数の連結具（ボルト・ナットなど）３９により連結されることで、ブロワ装置３１は吸音ボックス４１側に支持されている。その際に、ブロワ装置３１の支持位置は、モータ３３が側枠部１１内に形成された空洞部１１Ｓに向けて位置されて、その下部が吸気口４５や連通孔１１Ｈを通して空洞部１１Ｓ内に位置されるとともに、吐出し口３６Ｄが排気口４６に連通されるように設定されている。なお、フレーム３２の両端が連結される部分には、吸音材４３は設けられていない。
【００２２】
上記吸音ボックス４１の排気口４６は、洗車機本体１０外に位置される吸音配管５１と、その始端部分２６ａ，２９ａが側枠部１１内に位置されるダクトホース２６，２９とを介してノズル２５，２８に接続されている。すなわち、吸音配管５１は、断面矩形状でかつ側面視において逆Ｌ状に曲げ形成された外管体５２と、この外管体５２の内面に貼り付け状に施工された吸音材５３と、外管体５２の横向きの始端部分に連結された四角状の連結用リング体５４と、外管体５２の下向きの終端部分に連結された四角状の連結用板体５５とにより構成されている。そして、連結用リング体５４を外箱体４２の一側壁に当て付けて連結することで、吸音配管５１の始端部分が排気口４６に連通され、また連結用リング体５４を側枠部１１の上面１１ａ側に当て付けて連結することで、吸音配管５１は側枠部１１側に支持される。
【００２３】
そして、終端がトップノズル２５に接続されたダクトホース２６の始端部分２６ａと、終端がサイドノズル２８に接続されたダクトホース２９の始端部分２９ａとは、側枠部１１内の上部において、上下方向とされて平行状に位置されている。さらにダクトホース２６，２９の平行状の始端部分は、天板１１Ｄや連結用リング体５４に貫通されて吸音配管５１の下向きの終端部分に接続されるとともに、天板１１Ｄや連結用リング体５４側に連結保持されている。
【００２４】
次に、本発明の要旨である洗車機における洗車作業時に発生する騒音の低減化を図るための構成について、詳しく説明する。
この洗車機１には、洗車機本体１０の周辺の民家（騒音抑制基準位置の一例で、騒音抑制対象地域とも言える）４の近傍位置で、例えば壁体（これも騒音抑制基準位置に含まれる）３に配置された騒音計６１が具備されるとともに、この騒音計６１による騒音計測値を入力するとともに予め設定された２つの設定値に基づき各ブロワ装置３１のモータ３３の回転数（回転速度でもよい）を制御する、言い換えれば、モータ３３のインバータ６２を制御する制御装置６３が具備されている。
【００２５】
そして、上記２つの設定値として、騒音の上限となる騒音限界値と、モータの回転数を通常運転時に戻すための通常運転復帰値とが設けられており、このため、騒音計測値と比較される領域としては、騒音限界値を超える高騒音領域、騒音限界値と通常運転復帰値との間の中騒音領域、および通常運転復帰値未満の低騒音領域が存在することになる。
【００２６】
すなわち、この制御装置６３は、騒音計６１からの騒音計測値を入力して予め設定された上記いずれの領域に該当するかを判断する騒音判断部６４と、この騒音判断部６４からの判断結果を入力するとともに当該判断結果に基づき各ブロワ装置３１における羽根体３５を回転させるモータ３３のインバータ６２に所定の周波数指令を出力する周波数制御部６５とから構成されている。なお、ここでは、制御装置６３を乾燥手段用として説明しているが、実際には、洗車機本体１０に設けられて洗車機全体の制御を行うためのものであり、そのため、洗浄手段などの他の機器の制御機能も具備されているが、その説明については省略している。
【００２７】
上記周波数制御部６５においては、騒音計測値が高騒音領域である場合には、現時点でのモータ３３の回転数よりも所定回転数（この回転数は適宜設定することができ、例えば現在の回転数の１０％程度にされる）だけ低くなるような周波数指令が出力され、また騒音計測値が中騒音領域にある場合には、現時点での運転が続行されるように、すなわち周波数を変更する指令が出力されず、さらに騒音計測値が低騒音領域にある場合には、通常運転時の高い回転数となるような周波数指令が出力される。このように、通常運転時の高い回転数に戻すための騒音値として、騒音限界値よりも所定値だけ低い通常運転復帰値を設けたので、モータ３３の回転数が変動するハンチング現象を防止することができる。
【００２８】
なお、騒音判断部６４に入力された騒音計測値は、当然のことながら、小さい変動があるため、所定時間内（例えば、数十秒〜数分間）での平均値が用いられる。したがって、騒音判断部６４には、騒音計測値の平均値を求める平均演算部が具備されている。
【００２９】
上記構成において、車両６の洗車を行う場合、洗車機本体１０が洗車開始位置である走行始端位置に移動されるとともに車両６の前端が洗車機本体１０の前側の所定位置に位置している状態において洗車が開始される。
【００３０】
洗車が開始されると、洗車機本体１０は車両６の前端から後端に向かって走行し始めるとともに、洗浄手段により、すなわち各ノズル１４〜１９から洗浄用液体が噴き出されるとともに、各ブラシ２０〜２２により車両６の外面がブラッシングされて洗浄が行われる。
【００３１】
洗車機本体１０が走行終端位置まで移動して車両６の洗浄が済むと、洗車機本体１０は後退を開始するとともに乾燥が開始される。すなわち、ブロワ装置３１におけるモータ３３が予め設定された所定回転数、例えば通常運転時の回転数でもって駆動されて、乾燥用空気がトップノズル２５、サイドノズル２８などの乾燥用ノズルから噴出されて、車両６の乾燥が行われる。なお、このとき、空気はダクト内を通過するが、このとき発生した騒音は、その周囲に配置された吸音材２３，４３，５３により吸音され、その大きさが低下することになる。
【００３２】
さらに、この乾燥工程においては、上述した制御装置６３により、ブロワ装置３１におけるモータ３３の回転数が制御されることになる。すなわち、ブロワ装置３１から発生する騒音が壁体３に配置された騒音計６１により計測されるとともに、この騒音計測値が騒音判断部６４に入力されて、どの領域に入るか否かが判断された後、その判断結果が周波数制御部６５に入力される。
【００３３】
そして、この周波数制御部６５においては、騒音計測値が高騒音領域にある場合には、所定割合だけモータ３３の回転数が低下されて、ブロワ装置で発生する騒音の低減化が図られる。
【００３４】
また、騒音計測値が中騒音領域にある場合には、そのままの回転数でもって運転が続行される。
さらに、騒音計測値が低騒音領域にある場合には、ある程度、騒音が低下されているため、元の通常運転時の回転数に復帰される。すなわち、モータ３３は通常運転時の回転数（所謂、定格回転数である）でもって回転されて通常の乾燥が行われる。
【００３５】
このように、民家４との境界である壁体３に設けられた騒音計６１からの騒音計測値に基づき、ブロワ装置３１におけるモータ３３の回転数、すなわち羽根体３５の回転数を制御するようにしたので、言い換えれば、騒音計測値が騒音限界値以下となるように、羽根体３５を回転するモータ３３の回転数を制御するようにしたので、民家４側での騒音値は、当然に騒音限界値以下となる。したがって、洗車機本体１０の運転状態および洗車機本体１０の直ぐ周辺の騒音状態に拘わらず（たとえ、洗車機本体の周辺の騒音状況により、一時的に騒音が大きくなるような場合でも）、洗車機本体１０から発生する騒音値を、壁体３の外側の民家４側においては、常に、設定された騒音限界値以下にすることができる。すなわち、時間帯に応じて、一律にモータの回転数を低下させる場合に比べて、モータの回転数を低下させる時間を短くすることが可能となり、延いては、乾燥効率および洗車作業における全体的な作業効率の低下を防止することができる。
【００３６】
特に、騒音値が低騒音域になった場合には、通常運転時の回転数に戻すようにしているので、洗車する車両の形状に応じて、例えば車両に突起物が有ることにより大きくなる風切り音を、しかもその部分に限って、小さくすることができ、したがって風切り音が大きくなる部位を基準にしてモータの回転数を一律に低下させる場合に比べて、騒音値が低い部分では、空気量を必要以上に落とすことがないため、乾燥効果が低下するのを防止することができる。
【００３７】
ところで、上記実施の形態においては、騒音計を騒音抑制対象地域に含まれる壁体に配置したが、例えば洗車機本体に配置してもよい。この場合も、洗車機本体での騒音値を、洗車機本体の運転状態に拘わらず、常に、騒音限界値以下にすることができる。具体的には、車両の突起物による風切り音を低くすることができる。
【００３８】
また、上記実施の形態においては、設定値は予め設定されているものとして説明したが、例えば設定値を手動にて変更可能に、または季節若しくは時間帯に応じて自動的に変更可能なように構成してもよい。この場合、制御装置には、設定値を変更し得る設定手段（または、設定値の変更手段）、または季節若しくは時間帯に応じて自動的に設定し得る自動設定手段（例えば、１年間を通じたタイマー設定機能を有している）が具備される。
【００３９】
また、上記実施の形態においては、設定値を２つ設けたが、例えば騒音許容値として１つだけ設けることもできる。
この場合、騒音計により計測される騒音計測値が、騒音許容値以下となるように、モータの回転数が制御されることになる。
【００４０】
この場合の洗車機の構成を簡単に説明すると、車両の洗浄手段および乾燥手段を有するとともに、上記乾燥手段が、乾燥用空気を噴出させる乾燥用ノズルおよび当該乾燥用ノズルに空気を供給するブロワ装置とから構成された洗車機であって、
当該洗車機が設置される周辺の騒音抑制基準位置に配置された騒音計と、この騒音計にて計測された計測値を入力するとともに当該計測値が予め設定された設定値以下となるように上記ブロワ装置における羽根体を回転させるモータを制御する制御装置とを具備し、
さらに上記制御装置に、
騒音計からの計測値を入力するとともに当該計測値が予め設定された設定値を超えているか否かを判断する騒音判断部と、
この騒音判断部からの判断結果を入力して計測値が設定値を超えている場合に、ブロワ装置におけるモータの現時点での回転数よりも低い回転数となるように当該モータのインバータに周波数指令を出力する周波数制御部とを具備させたものである。
【図面の簡単な説明】
【００４１】
【図１】本発明の実施の形態に係る洗車機の配置状態を示す概略平面図である。
【図２】同洗車機の側面図である。
【図３】同洗車機の正面図である。
【図４】同洗車機の平面図である。
【図５】同洗車機におけるブロワ装置部分の一部切り欠き側面図である。
【図６】同洗車機におけるブロワ装置部分の一部切り欠き背面図である。
【図７】同洗車機におけるブロワ装置部分の一部切り欠き平面図である。
【図８】同洗車機における制御装置の概略構成を示すブロック図である。
【符号の説明】
【００４２】
１      洗車機
２      給油所
３      壁体
４      民家
５      走行レール
６      車両
１０      洗車機本体
３１      ブロワ装置
３３      モータ
３５      羽根体
６１      騒音計
６２      インバータ
６３      制御装置
６４      騒音判断部
６５      周波数制御部
【図１】
2008155721.tif 000003
【図２】
2008155721.tif 000004
【図３】
2008155721.tif 000005
【図４】
2008155721.tif 000006
【図５】
2008155721.tif 000007
【図６】
2008155721.tif 000008
【図７】
2008155721.tif 000009
【図８】
2008155721.tif 000010